(57)【要約】【課題】太陽電池と蓄電池を利用する物置用照明装置であって、扉の開施錠および作業の効率化を図るとともに防犯機能を備えた物置用照明装置を提供する。【解決手段】物置屋根上部に太陽電池を設置し、室内灯および入口灯およびモーションセンサーおよび音声装置を備え、前記モーションセンサーが人の動作を感知することで前記室内灯および入口灯を設定時間だけ点灯させるとともに前記音声装置から音を発生させ、人の動作を感知しなくなった時から設定時間後に自動的に消灯および消音する構成とした。また、前記室内灯を蓄電池、電球、蛍光灯、切替部、センサー連動スイッチで構成するとともに脱着可能な構造とし、前記切替部が蛍光灯、電球、消灯のいずれかに切替できる構成とした。【選択図】　　　　　　図１
0003098271.tif 000002
【実用新案登録請求の範囲】
【請求項１】
物置屋根上部に設置するソーラーバッテリー部と該ソーラーバッテリー部を電源とする物置内部に設置する室内灯と物置入口部に設置する入口灯とモーションセンサーからなる物置照明装置において、室内灯は蛍光灯と電球と前記ソーラーバッテリーにより発電した電力を充電する蓄電池で構成され、モーションセンサーが人の動作を感知することにより該室内灯と該入口灯を点灯させるとともに、人の動きを感知しなくなった時から設定時間後に消灯することを特徴とする物置用照明装置。
【請求項２】
室内灯は前記物置用照明装置から独立した照明として使用できるよう他の部材から脱着可能に構成され、蛍光灯または電球または消灯への切替部を有することを特徴とする請求項１記載の物置用照明装置。
【請求項３】
モーションセンサーが人の動きを感知することにより入口灯を点灯させると同時に設定時間だけ音を発生させる音声装置を設置することを特徴とする請求項１または２記載の物置用照明装置。
【考案の詳細な説明】
【０００１】
【考案の属する技術分野】
本考案は、物置の照明に係るもので、特に太陽電池と蓄電池を電源に用いる物置用照明装置に関する。
【０００２】
【従来の技術】
従来から物置用照明装置においては、太陽電池と蓄電池を電源として室内照明や換気装置を設置する物置が提供されており、手動によるスイッチ操作や出入口の扉の開閉による連動で室内照明の点灯および消灯を行なう照明装置が知られている。また、実開平２−７９５９９号の公報に室内照明が本体ランプとサブランプで構成されサブランプを切り離すことができると共に、照明の点灯に連動してメロディーが奏でる物置の自動照明装置が記載されている。
【０００３】
【考案が解決しようとする課題】
しかしながら従来における出入口の扉の開閉に連動して室内照明を点灯あるいは消灯する照明装置に関しては、夜間に扉の開施錠を行なう際に扉が閉まった状態において照明が点灯しないため錠の周辺が暗く開錠及び施錠操作が困難であったり、物置の中で作業をする場合に点灯スイッチがタイマー式であるものはタイマーの設定時間より作業が長くなると作業を一時中断し再度タイマーを設定する必要が生じていた。また、室内灯の設置場所、収納物の配置や量、細かな作業などの諸条件によって、室内灯の光が細部にまで十分に届かず作業に不便であった。さらに、従来から物置類の防犯装置は多数提供されているが市販の防犯装置は取付が複雑となったりコストがかかるため、物置に対して十分な防犯対策を施していない現状があった。
【０００４】
【課題を解決するための手段】
そこで上記課題を解決するため、請求項１は物置屋根上部に設置するソーラーバッテリー部と該ソーラーバッテリー部を電源とする物置内部に設置する室内灯と物置入口部に設置する入口灯とモーションセンサーからなる物置照明装置において、室内灯は蛍光灯と電球と切替部とセンサー連動スイッチと前記ソーラーバッテリーにより発電した電力を充電する蓄電池で構成され、モーションセンサーが人の動作を感知することにより該室内灯と該入口灯を点灯させるとともに、人の動作を感知しなくなった時から設定時間後に該室内灯と該入口灯を消灯することを特徴とするものである。
【０００５】
請求項２は室内灯を独立した照明として使用できるよう他の部材から脱着可能に構成され、蛍光灯または電球または消灯への切替部を有することを特徴とするものである。
【０００６】
請求項３に係る物置用照明装置は、モーションセンサーが人の動作を感知することにより入口灯を点灯させると同時に設定時間だけ音を発生させる音声装置を物置に設置することを特徴とするものである。
【０００７】
【考案の実施の形態】
以下、本考案の実施の形態を図を用いて説明する。図１は本考案の実施に係る物置用照明装置の概略の斜視図であり、１は物置、２はソーラーバッテリー部、３は室内灯、４は入口灯、５はモーションセンサー、６は音声装置、１１はコネクターである。図２は物置用照明装置のブロック図であり、７は蓄電池、８は電球、９は蛍光灯、１０は切替部、１２はセンサー連動スイッチである。
図１で示すように、物置１の屋根上部にソーラーバッテリー部２、物置内部に室内灯３、物置出入口部に入口灯４とモーションセンサー５と音声装置６を設置し、各部材はコネクター１１を介して接続されている。ソーラーバッテリー部２は底面部を永久磁石あるいは接着剤あるいは固定部材を使用して物置１の屋根上部で太陽光を十分に吸収する場所に固定する。室内灯３は物置１の内部を、入口灯４は出入口部及び錠部を照らす任意場所に設置するとともに点灯の設定時間も変更できるよう構成する。モーションセンサー５は物置に近づく人の動作および作業中の動作を感知可能とする場所であれば特に限定されない。前記ソーラーバッテリー部２、室内灯３、入口灯４、モーションセンサー５、音声装置６の各部材は物置および扉の形状等によって複数個必要とするならば追加して設置あるいは接続することができるように構成することも可能であり、さらにソーラーバッテリー部を電源として室内灯３、入口灯４、モーションセンサー５、音声装置６以外の電気機器を設置することも可能である。
【０００８】
次に各部材の接続を図２のブロック図で示すと、ソーラーバッテリー部２、室内灯３、入口灯４、モーションセンサー５、音声装置６はコネクター１１を介して接続され、モーションセンサー５が人の動作を感知し、室内灯３、入口灯４を点灯させると同時に音声装置６から音を発生させる。室内灯３は蓄電池７、電球８、蛍光灯９、切替部１０、センサー連動スイッチ１２で構成され、それぞれが切替部１０を介して接続されている。切替部１０は照明装置を電球８または蛍光灯９または消灯に切替可能な構造となっている。室内灯３および入口灯４については、扉を開いた状態で室内に十分な明るさが得られる昼間の場合、光検出センサーを設けて一定の明るさを超えるとモーションセンサー５が人の動作を感知しても室内灯３および入口灯４は点灯しないように構成しても良い。
【０００９】
室内灯３がコネクター１１と接続されている場合、モーションセンサー５が人の動作を感知することによりセンサー連動スイッチ１２が接続状態となり照明を点灯あるいは消灯させ、感知していない場合はセンサー連動スイッチ１２は非接続状態となる。一方、室内灯３を単独の照明として使用する場合、室内灯３をコネクター１１から切り離すと同時にセンサー連動スイッチ１２が常時接続状態となり、切替部を介して照明の点灯および消灯を行なう。
【００１０】
【考案の効果】
モーションセンサーが物置に近づく人の動作を感知し、設定時間だけ室内灯と入口灯を点灯させると同時に音を発生させる。入口灯の点灯で錠部を照らし開錠及び施錠を容易にするとともに、発生する音が物置を使用中であることや不審者あるいは盗難行為を行なう者に対して警報となり防犯機能を果たす。また、モーションセンサーが作業中の動作を感知することで室内灯及び入口灯の点灯を継続し、作業終了によって動作を感知しなくなった時から設定時間後に自動的に消灯および消音する構造とすることで作業のみに従事でき、無駄な労力と電力の消費を防ぐ。
室内灯を独立した照明として使用できるよう他の部材から脱着可能とすることであらゆる状況に対処でき、蛍光灯または電球または消灯に切替可能とする切替部を設けることで電力消費の調整を行なうことが可能となる。
【図面の簡単な説明】
【図１】本考案の実施形態の構造を示した斜視図
【図２】本考案のブロック図
【符号の説明】
１…物置
２…ソーラーバッテリー部
３…室内灯
４…入口灯
５…モーションセンサー
６…音声装置
７…蓄電池
８…電球
９…蛍光灯
１０…切替部
１１…コネクター
１２…センサー連動スイッチ
【図１】
0003098271.tif 000003
【図２】
0003098271.tif 000004